(57)【要約】【課題】  センター役物を備えた遊技機において、センター役物のワープ通路側に遊技球を導く上で有効な技術を提供する。【解決手段】  遊技領域の中央部にセンター役物１２１が配置されている遊技機であって、センター役物１２１は、枠部材１２３と、当該枠部材１２３の中央部に配置される図柄表示装置１２５とを有し、枠部材１２３には上部から進入する遊技球Ｂを側部下方へと導く球通路１２７と、球通路１２７の下流側に配置されたワープ通路１３５とを設けた。【選択図】  図１
2005318962.tif 000002
【特許請求の範囲】
【請求項１】
遊技領域の中央部にセンター役物が配置されている遊技機であって、
前記センター役物は、枠部材と、当該枠部材の中央部に配置された図柄表示装置とを有し、前記枠部材には上部から進入する遊技球を側部下方へと導く球通路と、当該球通路の下流側に配置されたワープ通路を設けたことを特徴とする遊技機。
【発明の詳細な説明】
【技術分野】
【０００１】
本発明は、ワープ通路を有するセンター役物が遊技領域の中央部に配置されている遊技機に関する。
【背景技術】
【０００２】
従来、例えば特開２０００−３００７４７号公報（特許文献１）には、遊技盤の遊技領域の中央部にセンター役物が配置されたパチンコ機が開示されている。公報記載のセンター役物では、図柄表示装置を取り囲むように配置される枠部材にワープ通路が設けられ、入口からワープ通路に進入した遊技球が、当該ワープ通路を通ってステージに導かれる。そしてステージ上に導かれた遊技球が、当該ステージ上を左へ、右へと揺動しながら減速されたのち、遊技領域の下方に向って落下し、センター役物の下方に配置されている始動口に入賞する可能性を有する構成とされている。
上記のワープ通路が、上下方向に真っ直ぐに延びる構成の場合、球がワープ通路の最上部から最下部まで勢いよく落下し、ワープ通路の最下部を構成する流出口に衝撃的に加わることになる。上記の公報記載のパチンコ機では、ワープ通路に球の落下速度に変化を与える抵抗部を設け、これにより球の落下による衝撃回避を図っている。
【０００３】
ところで、近年のセンター役物は、例えば、図柄表示装置の表示領域の拡大化、キャラクターを模した枠部材の大型化、等に基づき大型化の傾向にあり、このような大型化されたセンター役物を遊技盤面に配置した場合、左右の遊技領域の大部分をセンター役物が占有することになる。そこで、例えば右側の遊技領域を犠牲にするような形態でセンター役物の大型化を実現しようとすると、センター役物における右側のワープ通路に遊技球が適度に振り分けられて導かれるようにするための球通路を遊技盤の遊技領域に設定することが困難となり、結果として右側のワープ通路を廃止せざるを得なくなる。
【特許文献１】特開２０００−３００７４７号公報
【発明の開示】
【発明が解決しようとする課題】
【０００４】
本発明は、かかる点に鑑みてなされたものであり、大型のセンター役物を備えた遊技機において、センター役物のワープ通路側に遊技球を導く上で有効な技術を提供することを目的とする。
【課題を解決するための手段】
【０００５】
上記課題を達成するため、特許請求の範囲の請求項１に記載の発明が構成される。
請求項１に記載の発明によれば、遊技領域の中央部にセンター役物が配置されている遊技機が構成される。なお遊技機としては、典型的には、パチンコ機やアレンジボール機等がこれに該当する。
本発明に係る遊技機では、センター役物は、枠部材と、当該枠部材の中央部に配置された図柄表示装置とを有する。そして枠部材には、上部から進入する遊技球を側部下方へと導く球通路と、当該球通路の下流側に配置されたワープ通路を有する構成とされる。かかる構成としたことにより、センター役物の枠部材に設定した球通路を経てワープ通路側に遊技球を導くことができるため、遊技盤の遊技領域の犠牲といった問題を考慮することなく、センター役物を自由に設計することが可能となる。なお「ワープ通路」とは、典型的には進入した遊技球を遊技者から見え難いように隠しつつ下流側へ導く態様をいう。
【発明の効果】
【０００６】
本発明によれば、センター役物を備えた遊技機において、センター役物のワープ通路に遊技球を導く上で有効な技術が提供されることとなった。
【発明を実施するための最良の形態】
【０００７】
以下、本発明の実施の形態に係るパチンコ機につき図１および図２を参照しつつ詳細に説明する。本実施の形態に係るパチンコ機は、いわゆるフィーバー機、あるいは第１種パチンコ機と呼ばれるものであり、公知の技術であるため、遊技方法等の説明は省略する。パチンコ機における主要な構成部材である遊技盤１０３の全体構成が図１に示され、遊技盤１０３に配置される役物装置１２１の構成が図２に示される。なおパチンコ機は、本発明における「遊技機」の一例である。
【０００８】
図１に示すように、遊技盤１０３の表面にレール１０５によって区画形成された遊技領域１０４内には、概ね中央位置に役物装置１２１が設けられ、当該役物装置１２１の下方中央部に位置して可変始動口１１１を備えた入球装置１０９が設けられている。可変始動口１１１には、一対の開閉部材１１３が設けられ、当該開閉部材１１３が開いて可変始動口１１１が拡開されたときには遊技球Ｂが流入し易く、開閉部材１１３が閉じて可変始動口１１１が狭くなったときには、遊技球Ｂが流入し難くなるように構成されている。なお入球装置１０９の可変始動口１１１に遊技球Ｂが流入すると、後述する図柄表示装置１２５が作動するようになっている。
【０００９】
また遊技領域１０４内には、入球装置１０９の下方に位置してアタッカ装置１１５が設けられている。アタッカ装置１１５には、概ね中央部に開閉扉１１７によって開閉される大入賞口が配置されている。図１では開閉扉１１７が閉じた状態が示され、大入賞口は隠れている。また遊技領域１０４内には、当該遊技領域１０４の最も下端に位置してアウト口１０６が設けられている。さらに遊技領域１０４内の所定位置には、複数の風車器１０８が配設されるとともに、遊技領域１０４の全域にわたって多数の釘１０７が配設されている。
【００１０】
図１および図２に示すように、役物装置１２１は、当該役物装置１２１の主体部を構成する役物本体としての枠部材１２３と、当該枠部材１２３の中央部に装着される図柄表示装置１２５とを有する。枠部材１２３は、遊技盤１０３の概ね中央部に貫設された装着孔に当該装着孔を塞ぐように嵌め込まれた状態でビス等により遊技盤１０３に取り付けられる。上記の役物装置１２１が本発明における「センター役物」に対応する。なお役物装置１２１の枠部材１２３は、合成樹脂製である。
【００１１】
枠部材１２３の左側領域には、左側のワープ通路１２７が設けられ、枠部材１２３の右側領域には、上部から流入した遊技球Ｂを側部下方へと導く球通路１２９、当該球通路１２９の下流側に設けられ、役物装置１２１の下部に通じる右側のワープ通路１３５、球通路１２９の下方に配置されて遊技球Ｂをワープ通路１３１に振分状に導くための風車器１３３が設けられ、更に枠部材１２３の下部領域には、上下２段のステージ（棚板）１３８，１３９が設けられている。なお左側および右側のワープ通路１２７，１３５は、それぞれ、断面筒状に形成されており、枠部材１２３が不透明な材料で形成されている場合には、当該ワープ通路１２７，１３５を通過する球が遊技者から見え難い構成とされる。また上下２段のステージ１３８，１３９は、前後方向に奥行きが異なる階段状に形成されている（図２参照）。上記の球通路１２９が本発明における「第１の通路」に対応し、右側のワープ通路１３５が本発明における「第２の通路」に対応する。
【００１２】
左側のワープ通路１２７は、図１において破線で示すように、枠部材１２３における左側面のやや上部寄りの位置に斜め上方に向って開口する入口１２７ａを有し、当該入口１２７ａから流入した遊技球Ｂが図示矢印で示す如く下方へと落下したのち、役物装置１２１における概ね中央部（図柄表示装置１２５の前面下部）に設置された上段ステージ１３７（上段の棚板）へと導かれる構成とされる。すなわち、左側のワープ通路１２７の出口１２７ｂは、上段ステージ１３７の左端に臨んでいる。
【００１３】
球通路１２９は前面側が開放された、いわゆる断面溝形の通路であり、遊技盤１０３の前面側に配置される透明のガラスを通して、遊技者が遊技球Ｂの通る有様を見ることができる構成とされる。球通路１２９は、枠部材１２３の概ね中央上部に入口１２９ａを有する。入口１２９ａは、左斜め上方に向って開口されており、図示省略の発射装置から発射され、レール１０５によって誘導される遊技球Ｂの進行方向に概ね対向する構成とされる。球通路１２９は、入口１２９ａから流入した遊技球Ｂを側部下方へと導くべく、入口１２９ａから右側下方に向って傾斜状に延びている。
【００１４】
また球通路１２９のうち、入口１２９ａから通路中程までの上流域１２９ｂについては、役物装置１２１の外観形状に沿うように、水平面に対する傾斜角度が緩やかに設定されており、その床面１２９ｃ（球の転動面）側が階段状に形成されている。すなわち、球通路１２９の上流域１２９ｂでは、遊技球Ｂが階段状の床面１２９ｃ上を転がることでブレーキが掛けられ、これにより当該遊技球Ｂの勢いが減殺される構成としている。また球通路１２９のうち、通路中程から出口１２９ｅまでの下流域１２９ｄについては、水平面に対する傾斜角度が上流域１２９ｂよりも大きく設定されるが、この下流域１２９ｄではジグザグ状の通路とされている。すなわち、下流域１２９ｄにおける左右の側壁面１２９ｆは、左右に何回も曲がりくねった形状とされており、この下流域１２９ｄを通る遊技球Ｂの進行方向が変化することによって、当該遊技球Ｂの勢いが減殺される構成としている。上記の階段形状の床面１２９ｃ、およびジグザグ状の壁面１２９ｆが、本発明における「消勢手段」に対応する。
【００１５】
球通路１２９の出口１２９ｅの下方は、末広がり状の空間とされ、この空間の概ね中央に風車器１３３が配置されている。なお風車器１３３は水平軸線周りに回転自在に設けられている。そして空間１３１の奥側には、風車器１３３のやや上方となる位置に右側のワープ通路１３５の入口１３５ａが開口され、また風車器１３３の左側と右側には、それぞれ遊技球Ｂが通り抜けることができるスペースが設定される。
球通路１２９の出口１２９ｅから落下した遊技球Ｂは、風車器１３３によってその進行方向が決定される。すなわち、遊技球Ｂはワープ通路１３５の入口１３５ａに進入するルートと、風車器１３３の左側あるいは右側のスペースを通り抜けて役物装置１２１の下段ステージ１３９に落下するルートとに振り分けられる構成とされる。上記の風車器１３３が本発明における「振分手段」に対応する。
【００１６】
図１に破線で示すように、右側のワープ通路１３５は、入口１３５ａから進入した遊技球Ｂを上段ステージ１３７へと導く。すなわち、右側のワープ通路１３５の出口１３５ｂは、上段ステージ１３７の右端に臨んでいる。なお上段ステージ１３７上に進入した遊技球Ｂは、当該上段ステージ１３７上を右へ左へと揺動したのち、当該上段ステージ１３７の中央奥側に設けられたセンターワープ入口１４１（図２参照）へ進入する経路と、上段ステージ１３７上から直接に下段ステージ１３９上へと落下する経路とに分けられる。なおセンターワープ入口１４１へ進入した遊技球Ｂは、下段ステージ１３９の前面中央部に開口されたセンターワープ出口１４２から落下する構成とされる。
【００１７】
本実施の形態に係るパチンコ機は、上記のように構成したものである。遊技の際、遊技領域１０４に打ち出された遊技球Ｂのうち、一部の遊技球Ｂは役物装置１２１の左側のワープ通路１２７の入口１２７ａに進入し、当該ワープ通路１２７を経て上段ステージ１３７へと導かれる。また役物装置１２１の左側を通る一部の遊技球Ｂは、下段ステージ１３９へと導かれる。また一部の遊技球Ｂは、役物装置１２１の上部から球通路１２９の入口１２９ａに進入し、当該球通路１２９によって右側下部へと導かれるとともに、出口１２９ｅから落下する。出口１２９ｅから落下した遊技球Ｂは、風車器１３３に当接するとともに、当該風車器１３３によって右側のワープ通路１３５の入口１３５ａに進入する経路と、風車器１３３の左側あるいは右側を通過する経路とに振り分けられる。そしてワープ通路１３５へ振り分けられた遊技球Ｂは、当該ワープ通路１３５を経て上段ステージ１３７へと導かれ、風車器１３３の左側あるいは右側へ振り分けられた遊技球Ｂは、下段ステージ１３９へと導かれる。
【００１８】
なお下段ステージ１３９上へと進入した遊技球Ｂは、当該下段ステージ１３９上を中央部側へと転がる途中で、遊技領域１０４へと落下し、あるいは中央落下部から遊技領域１０４へと落下する。また、上段ステージ１３７へと導かれた遊技球Ｂは、センターワープ入口１４１へ進入する経路と、上段ステージ１３７上から直接に下段ステージ１３９上へと落下する経路とに分けられ、そしてセンターワープ出口１４２から落下する遊技球Ｂは、下段ステージ１３９上の中央部から落下する場合に比べて高い確率で遊技者に有利な可変始動口１１１に流入する。すなわち、上段ステージ１３７は、遊技球Ｂを遊技者に有利な可変始動口１１１へ導く経路と、可変始動口１１１以外の領域に導く経路とに振り分けるものであり、本発明における「入賞振分ステージ」に対応している。
【００１９】
さて本実施の形態においては、役物装置１２１における枠部材１２３の右側領域に、上部から進入する遊技球Ｂを右側方下部へ誘導する球通路１２９を配置するとともに、当該球通路１２９の下方に風車器１１３を配置して球通路１２９から落下する遊技球Ｂを振り分ける構成とし、更に右側のワープ通路１３５に振り分けられた遊技球Ｂを上段ステージ１３７へと導く構成としている。このように構成としたことにより、遊技者は、右側領域を面白味のある遊技領域として楽しむことができる。
【００２０】
ところで、近年の役物装置は、例えば、図柄表示装置の表示領域の拡大化、キャラクターを模した枠部材の大型化、等に基づき大型化の傾向にあり、このような大型化された役物装置を遊技盤面に配置した場合、左右の遊技領域の大部分をセンター役物が占有することになる。しかるに、本実施の形態によれば、役物装置１２１の枠部材１２３に、上部の入口１２９ａから進入した遊技球Ｂを右側下部のワープ通路１３５側に導く球通路１２９を設ける構成としたことにより、右側の遊技領域１０４の大部分を役物装置１２１が占有したとしても、ワープ通路１３５に遊技球Ｂを有効に導くことができる。これにより、役物装置１２１に関する設計上の自由度を高めることができる。
【００２１】
また本実施の形態における球通路１２９は、入口１２９ａから進入する遊技球Ｂの勢いを減殺するための消勢手段を備えた構成とされている。発射装置から発射され、遊技領域１０４へと飛び出した遊技球Ｂは、入口１２９ａの近くに配置される釘１０７によって速度を減速されるにしても相当の速度を保有する。従って、当該進入速度を維持しつつ下流側へと導くことは、通路を損傷するおそれがある上に、風車器１３３によって振り分けられる際、過剰な跳ね返りが生じ、適正な振り分けが実行されないおそれがある。
本実施の形態では、球通路１２９の上流域１２９ｂでは、消勢手段として床面１２９ｃを階段状に形成し、これにより遊技球Ｂの速度を減殺している。また下流域１２９ｄでは、消勢手段として通路を構成する壁面１２９ｆをジグザグ状に形成し、遊技球Ｂの進行方向を変えることによって落下速度を減殺しつつ落下方向の安定化を図っている。このため、本実施の形態によれば、球通路１２９に進入する遊技球Ｂが繰り返し衝突することに起因して生じる当該球通路１２９の損傷を効率的に防止あるいは軽減できるとともに、風車器１３３に対する衝突速度を低減して適正な振分動作を行わせることができる。
また本実施の形態では、遊技球Ｂの進入速度の影響を最も受け易い部位である、球通路１２９の入口１２９ａ部分を厚肉化し、これにより当該入口１２９ａ付近の強度を高めて損傷防止を図っている。
【００２２】
なお球通路１２９に設定される「消勢手段」は、図示の階段状の床面１２９ｃ、あるいはジグザグ状の壁面１２９ｆに変えて適宜変更することが可能である。例えば、上流域１２９ｂの天井面（上面）側に遊技球Ｂが当たることで弾性変形可能な板バネあるいはゴム板を設け、当該板バネあるいはゴム板の変形によって遊技球Ｂの速度を減速する構成、あるいは床面１２９ｃを傾斜面に形成した上で、当該傾斜面にリブのような突起物を進行方向に適宜間隔で設け、遊技球Ｂが当該突起物に当ることで速度を減速される構成としてもよい。また球通路１２９の下流域１２９ｄにおいて、例えば球通路１２９を構成する左右の壁面１２９ｆをジグザグに形成するのではなく、壁面については直線状にし、左右の壁面から長短混入の突起を通路方向に交互に配置することで、ジグザグ状の通路を構成してもよい。また本実施の形態にいて、球通路１２９の下流側に配置される振分手段としての風車器１３３は、例えば釘等のような風車器１３３以外のものを用いてもよい。
また本実施の形態では、球通路１２９の下流側に配置される振分手段としての風車器１３３を役物装置１２１に設けているが、当該風車器１３３を役物装置１２１から切り離して遊技盤１０３の遊技領域１０４に設けてもよい。すなわち、役物装置１２１の球通路１２９に進入した遊技球を一旦当該球通路１２９の出口から役物装置１２１の外へと導いたのち、遊技領域１０４に配置した風車器１３３によって再び役物装置１２１のワープ通路１３５へ振分状に導くように構成してもよい。また、役物装置１２１は、いわゆる「１種」タイプのパチンコ機を例にとって説明したが、いわゆる「２種」あるいは「３種」のパチンコ機に適用してもよい。
【００２３】
上記発明の趣旨に鑑み、以下の態様が構成可能である。すなわち、
【００２４】
（態様１）
「センター役物を有する遊技機であって、
前記センター役物は、上部から進入した遊技球を側部下方へと導く第１の通路と、前記第１の通路の下流側に設けられ、前記センター役物の下部へ遊技球を導く第２の通路と、前記第１の通路の下方に配置されて遊技球を前記第２の通路に振分状に導く振分手段を有し、
前記球通路はセンター役物に一体に形成されていることを特徴とする遊技機。」
【００２５】
態様１に記載の発明によれば、センター役物を有する遊技機が構成される。なお遊技機としては、典型的にはパチンコ機やアレンジボール機等がこれに該当する。また「センター役物」とは、遊技領域の中央部に配置されている役物を指し、典型的には枠部材とこの枠部材の中央に配置された図柄表示装置とを有する役物装置がこれに該当する。
態様１に記載の発明における遊技機では、センター役物は、上部から進入した遊技球を側部下方へと導く第１の通路と、第１の通路の下流側に設けられ、センター役物の下部に遊技球を導く第２の通路と、第１の通路の下方に配置されて遊技球を第２の通路に振分状に導く振分手段を有する構成とされ、そして第１の通路がセンター役物に一体に形成されている構成とされる。なお「センター役物の下部に遊技球を導く」態様としては、典型的には進入した遊技球をセンター役物の下部に配置された入賞振分ステージへ導く態様がこれに該当する。
【００２６】
本発明によれば、遊技球を第２の通路側へと導くための第１の通路をセンター役物に設けている。これにより、釘を用いた球通路設定用のスペースを遊技盤面に設けなくても、遊技球を第２の通路へと合理的に導くことができる。またセンター役物の大型化を制約する一因が取り除かれることとなり、センター役物に関する設計上の自由度が高くなる。また第１の通路の下流側に遊技球を第２の通路に対して振分状に導く振分手段を設けたことにより、第１の通路を通る遊技球の進行先が予測し難いものとなり、遊技の趣向性を向上できる。ここで「第１の通路の下方」とは、当該第１の通路の領域内に配置される態様、出口付近に配置される態様のいずれも好適に包含する。また「振分状に導く」とは、遊技球を第２の通路とその他の経路とに振り分けて導く態様をいう。
【００２７】
（態様２）
「態様１に記載の遊技機であって、
前記第２の通路は、当該第２の通路に進入した遊技球をセンター役物の下部に配置された入賞振分ステージへ導くワープ通路であることを特徴とする遊技機。」
【００２８】
態様２に記載の発明によれば、態様１に記載の遊技機における第２の通路は、当該第２の通路に進入した遊技球をセンター役物の下部に配置された入賞振分ステージへ導くワープ通路である構成とされる。ここで「ワープ通路」とは、典型的には進入した遊技球を遊技者から見え難いように隠しつつ入賞振分ステージへ導く態様がこれに該当する。このようなワープ通路を設けることで、進入した遊技球を遊技者から隠し、遊技の面白さを増すことができる。
【００２９】
（態様３）
「態様１または２に記載の遊技機であって、
前記第１の通路は、当該第１の通路に進入し側部下方へと導かれる遊技球の勢いを減殺する消勢手段を有することを特徴とする遊技機。」
【００３０】
態様３に記載の発明によれば、態様１または２に記載の遊技球における第１の通路は、当該第１の通路に進入し側部下方へと導かれる遊技球の勢いを減殺する消勢手段を有する構成とされる。第１の通路に消勢手段を設けることで、当該第１の通路に進入した遊技球の勢いを減殺し、通路壁面に対する遊技球の衝突を弱めて当該壁面の損傷を防止あるいは軽減することができる。また振分手段に進入する遊技球の勢いを、振り分けを実行する上で好適な勢い、すなわち適度の跳ね返りが生ずるような勢いに調整することが可能となり、当該振分手段の適正な振り分け機能を維持することができる。
【００３１】
（態様４）
「態様３に記載の遊技機であって、
前記消勢手段は、遊技球の転動速度にブレーキを掛ける構成とされていることを特徴とする遊技機。」
【００３２】
態様４に記載の発明によれば、態様３に記載の遊技機における消勢手段は、遊技球の転動速度にブレーキを掛ける構成とされる。ここで「ブレーキを掛ける構成」の態様としては、遊技球が通る通路の床面を通路方向に階段状に形成する態様、床面に突起物を点在的に配置する態様、あるいは遊技球が通る通路の天井面に弾性変形可能な板バネやゴム板等の弾性片を点在的に配置する態様等のいずれも好適に包含する。かかる構成によれば、第１の通路に進入した遊技球の速度を効率的に減速することができる。
【００３３】
（態様５）
「態様３または４に記載の遊技機であって、
前記消勢手段は、遊技球の進行方向を変えつつ下流側へ導く構成とされていることを特徴とする遊技機。」
【００３４】
態様５に記載の発明によれば、態様３または４に記載の遊技機における消勢手段は、遊技球の進行方向を変えつつ下流側へ導く構成とされる。ここで「進行方向を変えつつ下流側へ導く構成」の態様としては、典型的には通路を構成する壁面をジグザグ状に形成する態様がこれに該当するが、通路を直線状に形成するとともに、当該通路の対向する壁面に、遊技球の進行を妨げる突起物を遊技球の進行方向に交互に配置することでジグザグ状の通路を形成する態様も好適に包含する。かかる構成によれば、遊技球の進行方向の変化による減速効果を得ることができるとともに、遊技球を第１の通路から振分手段へ安定して導くことができる。
【００３５】
（態様６）
「態様１〜５のいずれかに記載の遊技機であって、
前記第１の通路は、上部から進入した遊技球を右側下部へと導くように形成され、前記第２の通路および振分手段は、前記センター役物の右側下部に配置されていることを特徴とする遊技機。」
【００３６】
態様６に記載の発明によれば、態様１〜５のいずれかに記載の遊技機における第１の通路は、進入した遊技球を右側下部へと導くように形成され、第２の通路および振分手段は、センター役物の右側下部に配置されている構成とされる。例えば、センター役物を有するパチンコ機の場合、遊技盤面の左側の遊技領域を使って遊技を行うような設定が一般的であり、右側の遊技領域を使って遊技を楽しむ形態が少ない。上記のように構成された本発明によれば、右側領域を積極的に使って遊技を楽しむことが可能となり、趣向性の向上に資する遊技機が提供される。
【００３７】
（態様７）
遊技領域にセンター役物が配置されている遊技機であって、
前記センター役物は、上部から進入した遊技球を側部下方へと導く第１の通路と、前記第１の通路の下流側に設けられ、前記センター役物の下部へ遊技球を導く第２の通路とを有し、前記遊技領域には、前記第１の通路から前記センター役物の外へと導かれた遊技球を前記第２の通路へ振分状に導く振分手段が設けられていることを特徴とする遊技機。
【００３８】
態様７に記載の発明によれば、遊技領域にセンター役物が配置されている遊技機が構成される。なお遊技機としては、典型的にはパチンコ機やアレンジボール機等がこれに該当する。また「センター役物」とは、遊技領域の中央部に配置されている役物を指し、典型的には枠部材とこの枠部材の中央に配置された図柄表示装置とを有する役物装置がこれに該当する。
態様７に記載の発明における遊技機では、センター役物は、上部から進入した遊技球を側部下方へと導く第１の通路と、第１の通路の下流側に設けられ、センター役物の下部に遊技球を導く第２の通路とを有し、遊技領域には、第１の通路からセンター役物の外へと導かれた遊技球を第２の通路へ振分状に導く振分手段が設けられている構成とされる。なお「センター役物の下部に遊技球を導く」態様としては、典型的には進入した遊技球をセンター役物の下部に配置された入賞振分ステージへ導く態様がこれに該当する。
【００３９】
本発明によれば、遊技球を第２の通路側へと導くための第１の通路をセンター役物に設けている。これにより、釘を用いた球通路設定用のスペースを遊技盤面に設けなくても、遊技球を第２の通路へと合理的に導くことができる。またセンター役物の大型化を制約する一因が取り除かれることとなり、センター役物に関する設計上の自由度が高くなる。また遊技球を第２の通路に振分状に導く振分手段をセンター役物から外れた遊技領域に設けたことにより、センター役物の第１の通路に進入した遊技球を一旦センター役物の外へ出してから再びセンター役物の第２の通路へ振分状に戻すことができる。これにより、遊技球の流れに変化を与えて遊技の趣向性を向上できる。ここで「振分状に導く」とは、遊技球を第２の通路とその他の経路とに振り分けて導く態様をいう。
【図面の簡単な説明】
【００４０】
【図１】本発明の実施形態に係るパチンコ機の主要な構成部材である遊技盤の全体構成を示す正面図である。
【図２】遊技盤に配置される役物装置の構成を示す正面斜視図である。
【符号の説明】
【００４１】
１０３  遊技盤
１０４  遊技領域
１０５  レール
１０６  アウト口
１０７  釘
１０８  風車器
１０９  入球装置
１１１  可変始動口
１１３  開閉部材
１１５  アタッカ装置
１１７  開閉扉
１２１  役物装置（センター役物）
１２３  枠部材
１２５  図柄表示装置
１２７  左側のワープ通路
１２７ａ  入口
１２７ｂ  出口
１２９  球通路
１２９ａ  入口
１２９ｂ  上流域
１２９ｃ  階段状の床面（消勢手段）
１２９ｄ  下流域
１２９ｅ  出口
１２９ｆ  ジグザグ状の壁面（消勢手段）
１３３  風車器（振分手段）
１３５  右側のワープ通路
１３５ａ  入口
１３５ｂ  出口
１３７  上段ステージ
１３９  下段ステージ
【図１】
2005318962.tif 000003
【図２】
2005318962.tif 000004